(57)【要約】【課題】コンピュータによる情報処理の結果として出力される帳票等の仕分作業において、その精度向上とチェックなどに要する人的作業の削減が図れる仕分装置、印刷物仕分方法を提供する。【解決手段】印刷物に付された識別子を読み取る読取部と、仕分けされた印刷物を格納する、識別表示が付された仕分指示棚を複数具備する格納部と、仕分けされる印刷物の識別子が上記読取部により読み取られたとき、読みとられた該識別子に応じて該印刷物を格納すべき上記仕分指示棚を表示する制御部とを備えた。【選択図】  図１
2006069767.tif 000002
【特許請求の範囲】
【請求項１】
印刷物に付された識別子を読み取る読取部と、
仕分けされた印刷物を格納する、識別表示が付された仕分指示棚を複数具備する格納部と、
仕分けされる印刷物の識別子が前記読取部により読み取られたとき、読みとられた該識別子に応じて該印刷物を格納すべき前記仕分指示棚を表示する制御部と、を備えたことを特徴とする仕分装置。
【請求項２】
前記仕分けされる印刷物は、帳票種別毎に一連番号が付されると共に、先頭に、帳票コード、仕分先コード、及び納品先コードを含む情報が記録された識別子が付されたものであることを特徴とする請求項１記載の仕分装置。
【請求項３】
前記制御部は、仕分けされる印刷物に関する仕分情報が入力されたとき、入力された該仕分情報に基づいて仕分先毎に印刷物の数量を算出し、算出された該数量に応じて前記複数の仕分指示棚のうちの所定の仕分指示棚を前記識別表示に基づいて割り付けた割付表を自動作成すると共に、該割付表に基づいて前記印刷物を格納すべき仕分指示棚を表示することを特徴とする請求項１記載の仕分装置。
【請求項４】
前記制御部は、前記仕分先と該仕分先が少なくとも１つ含まれる前記印刷物の納品先との対応表を有するものであって、該対応表を参照することにより該納品先を付加した前記割付表を所定の画面に表示することを特徴とする請求項３記載の仕分装置。
【請求項５】
前記複数の仕分指示棚それぞれは、それぞれの仕分指示棚に印刷物が通過するのを検知するセンサと、ランプとを有し、
前記制御部は、前記読取部により前記印刷物の識別子が読み取られたとき、読み取られた該識別子から前記仕分先を抽出すると共に、前記割付表に一覧表示された前記識別表示が付された前記仕分指示棚のランプを点灯させ、該ランプが点灯された該仕分指示棚に該印刷物が格納されたときに該ランプを消灯させることを特徴とする請求項３記載の仕分装置。
【請求項６】
前記制御部は、顧客毎に前記対応表を具備すると共に、前記仕分作業を行う担当者の識別情報が該顧客毎に規定された担当者表を具備するものであって、
前記読取部による前記印刷物の識別子の読み取りに先駆けて読み取られた該仕分作業を行う担当者の識別情報を該担当者表と照合し、一致したときに、該識別子を読み取った該印刷物を格納すべき前記仕分指示棚を表示することを特徴とする請求項４記載の仕分装置。
【請求項７】
前記制御部は、所定の印刷物が所定の仕分指示棚に格納された後、該所定の仕分指示棚から前記仕分先毎に仕分けられた印刷物を取り出し、前記納品先毎に配送するときは、取り出される該印刷物が格納された前記仕分指示棚のランプを一斉点灯させ、該仕分指示棚から該印刷物が取り出される都度、取り出された該仕分指示棚のランプを消灯させることを特徴とする請求項５記載の仕分装置。
【請求項８】
前記格納部は、警告ランプ又は警告ブザーを具備し、
前記印刷物の識別子が読み取られたときにランプが点灯された仕分指示棚以外の仕分指示棚に印刷物が格納されたのを前記センサで検知すると、前記格納部の前記警告ランプを点灯させ又は／及び前記警告ブザーを鳴動させることを特徴とする請求項５記載の仕分装置。
【請求項９】
前記制御部は、顧客別に登録された仕分作業のスケジュールと前記割付表とを参照し、前記仕分指示棚のランプを点灯又は消灯させる際に、該仕分作業の進捗状態を表示させる画面を更新することを特徴とする請求項７又は８記載の仕分装置。
【請求項１０】
識別表示が付された複数の仕分指示棚を備えた格納部を用いて、印刷物を仕分ける印刷物仕分方法であって、
仕分対象となる印刷物の数量を仕分先毎に算出し、算出された該数量に応じて前記複数の仕分指示棚のうちの所定の仕分指示棚を前記識別表示に基づいて割り付けた割付表を自動作成する段階と、
仕分先毎に、先頭ページに仕分先を含む識別子を付して所定の印刷物を印刷する段階と、
前記先頭ページの識別子を読み取り、読み取った該先頭ページを含む所定の仕分先の印刷物を格納する所定の仕分指示棚を、前記割付表に基づいて表示する段階と、を備えたことを特徴とする印刷物仕分方法。
【発明の詳細な説明】
【技術分野】
【０００１】
本発明は、複数の仕分先を有する印刷物を配送する際に、仕分作業に起因する誤配や発送漏れを防止する技術に関する。
【背景技術】
【０００２】
従来、情報処理の依頼があった各顧客のジョブは、処理が終了した後にオンライン、又は記憶媒体の運搬により印刷工程に回される。印刷される帳票には、帳票名、仕分先毎に一連番号が付されており、それら複数の帳票は仕分先毎に区分され、さらに納品先毎にまとめられて梱包され、所定の期日までに所定の納品先に納品される。
【０００３】
しかしながら、出力される帳票の数量は膨大である上、仕分先の数も多いので、それらを仕分先毎に区分する際や、仕分先毎に区分されたものを納品先毎にまとめる際に、ミスやポカにより、納品後の顧客苦情によって、誤配や発送漏れが発見されることがある。
【０００４】
それら人為的な要因による誤配や発送漏れを極力減らすため、これまでにチェック項目の強化や別人によりチェックなどの人手による対策の強化が図られたが、決定的な効果を得るまでには至っていない。
【０００５】
そこで、物品のピッキング設備において作業者識別情報、物品識別情報、個数識別情報等を作業者に向けて表示させ、表示されたピッキング情報に従ってピッキングした物品を所定の仕分ケースに入れる方法があるが、複数の作業者が接近してピッキングを行う際のピッキングエリアの混同を、複数色を制御することにより解決を図ろうとする方法が記載されている（特許文献１参照）。
【０００６】
また、多品種の仕分物を、出荷伝票を見ながら仕分先毎に仕分ける場合に、読み取り間違いや取り忘れが生じ易いので、仕分指示棚に表示器を設け、品種毎の必要個数を表示させる方法があるが、大規模小売店の場合には複数の仕分指示棚を用いる必要があるので、隣接する仕分域で仕分先が同一の場合には、表示器の発色を異なったものにする方法が記載されている（特許文献２参照）。
【特許文献１】特開平７−２５７７１２号公報
【特許文献２】特開２０００−７１１５号公報
【発明の開示】
【発明が解決しようとする課題】
【０００７】
しかしながら、仕分け対象物が情報処理の結果として出力される帳票などの印刷物は、仕分先がコードで表示されている場合があり、仕分先を目視で判断するのが困難な場合があるほか、印刷された文字が小さい上、仕分先それぞれを目視で見分ける際に誤りが生じる恐れがあることから、特許文献１、２に記載されている、仕分指示棚の表示器における表示の工夫だけでは解決し得ない。
【０００８】
また、仕分作業におけるチェック項目の強化や別人によりチェックなどの人的作業は、極力削減することが望ましい。
【０００９】
本発明は、上記事情に鑑み、コンピュータによる情報処理の結果として出力される帳票等の仕分作業において、その精度向上とチェックなどに要する人的作業の削減が図れる仕分装置、印刷物仕分方法を提供することを目的とする。
【課題を解決するための手段】
【００１０】
上記の目的を達成する本発明の仕分装置は、
印刷物に付された識別子を読み取る読取部と、
仕分けされた印刷物を格納する、識別表示が付された仕分指示棚を複数具備する格納部と、
仕分けされる印刷物の識別子が前記読取部により読み取られたとき、読みとられた該識別子に応じて該印刷物を格納すべき前記仕分指示棚を表示する制御部と、を備えたことを特徴とする。
【００１１】
このように、識別表示が付された仕分指示棚を複数備えた格納部と、印刷物に付された識別子を読み取る読取部とにより、制御部が、読みとられた該識別子に応じてその印刷物を格納すべき仕分指示棚を表示するので、仕分作業における人為的なミスが生じにくい。
【００１２】
上記の目的を達成する本発明の印刷物仕分方法は、識別表示が付された複数の仕分指示棚を備えた格納部を用いて、印刷物を仕分ける印刷物仕分方法であって、
仕分対象となる印刷物の数量を仕分先毎に算出し、算出された該数量に応じて前記複数の仕分指示棚のうちの所定の仕分指示棚を前記識別表示に基づいて割り付けた割付表を自動作成する段階と、
仕分先毎に、先頭ページに仕分先を含む識別子を付して所定の印刷物を印刷する段階と、
上記先頭ページの識別子を読み取り、読み取った該先頭ページを含む所定の仕分先の印刷物を格納する所定の仕分指示棚を、上記割付表に基づいて表示する段階と、を備えたことを特徴とする。
【００１３】
このように、識別表示が付された仕分指示棚を複数備えた格納部を用意し、印刷物の仕分先毎の数量に応じて、それぞれの仕分先を、どの仕分指示棚に格納するかを割り付ける割付表を作成しておく。一方、印刷物は仕分先毎にまとめられ、バーコードなどによる仕分先コードが付される。そして、印刷物に付されたバーコードをリーダーで読み取れば、割り付けられた仕分指示棚に、例えばランプが点灯されるので、仕分作業における人為的なミスが生じにくい。
【発明の効果】
【００１４】
本発明の仕分装置によれば、コンピュータによる情報処理の結果として出力される帳票等の仕分作業において、人為的なミスの防止と、２重チェックなどに要する人的作業の削減が図れる。
【発明を実施するための最良の形態】
【００１５】
以下に、本発明の仕分装置の実施形態について説明する。
【００１６】
図１は、本発明の仕分装置の実施形態を示す概略構成図である。
【００１７】
図１に示すように、本実施形態の仕分装置は、それぞれに仕分けられた印刷物が格納される仕分指示棚を複数具備する格納部１と、バーコード・リーダ・インタフェース及び無線式のバーコードリーダ（以下「ＢＣＲＩＦ」と略称する。）２、パーソナルコンピュータ（本発明の制御部に相当し、以下「ＰＣ」と略称する。）３と、ＰＣ、ＢＣＲＩＦ、及び格納部を接続するＬＡＮ５と、を備えている。
【００１８】
また、ＢＣＲＩＦ２は、バーコードスキャナ（以下「ＢＣスキャナ」と略称する。）４と無線で接続されている。なお、ＰＣ３には、プリンタ６が接続されている。
【００１９】
図２は、本実施形態の格納部を示す図である。
【００２０】
図２に示す格納部１は、５段５列の仕分指示棚１１からなる仕分指示棚セット１０が２基備えられている。
【００２１】
それぞれの仕分指示棚１１には、棚番号を表示する６桁の液晶セグメントからなる表示器１２、表示ランプ１３、及び印刷物が仕分指示棚１１に出し入れされたのを検出するセンサユニット１４が備えられている。なお、表示器１２及び表示ランプ１３は、本発明の識別表示に相当する。
【００２２】
格納部１には、警告表示ランプ１５及びアラーム１６が１セット設けられているほか、ＢＣスキャナ４で読み取られ、赤外線で送信される情報を受信するＢＣＲＩＦ２が設置されている。
【００２３】
各仕分指示棚１１の表示器１２、表示ランプ１３、及びセンサユニット１４、並びに格納部１の警告表示ランプ１５及びアラーム１６は、図に現れない表示ユニットに接続され、表示ユニットはＬＡＮ５を介してＰＣ３に接続されている。
【００２４】
ここで、本実施形態では、印刷物に付された仕分コードや帳票コードなどの識別子や担当者の識別情報はバーコードであり、双方ともＢＣスキャナ４で読み取られるように構成されている。しかしながら、識別子や識別情報は、必ずしもバーコードである必要はなく、双方又は一方が２次元コードやＲＦＩＤタグであってもよい。その場合、ＢＣスキャナ及びＢＣＲに替えてＲＦＩＤリーダを用いることができる。
【００２５】
次に、本実施形態の仕分装置の制御部に相当するＰＣにより自動作成される割付表について説明する。
【００２６】
ＰＣ３は、ＬＡＮ５またはネットワークを介してホストコンピュータに接続されており、ホストコンピュータから、仕分けされる印刷物に関する仕分情報が入力されるとその仕分情報に基づいて仕分先毎に印刷物の数量を算出し、算出された数量に応じて仕分指示棚の表示器（棚番号などが表示される）１２を割り付けた割付表を自動作成する。
【００２７】
ＰＣ３には、顧客別の仕分先コード及び仕分先と納品先との対応表（テーブル）が予め登録されているので、自動作成された割付表に対し、テーブルを適用することにより、仕分先、帳票名ごとの印刷物の数量、仕分指示棚の数、棚番号、納品先を画面表示させて確認することができる。
【００２８】
さらに、ＰＣ３は、ホストコンピュータから入力された仕分け情報に対する割付表が自動作成されたときには、後述する仕分作業画面の仕分予定とリンクされる。
【００２９】
図３は、ＰＣに入力される、印刷物の仕分情報の一例を示す図である。
【００３０】
図３に示すように、ホストコンピュータからは、顧客毎に付与された業務コード（例えばＥＦＣ）と、印刷の単位となるジョブ名（例えば１０桁のコード）と、仕分先コード（例えば２４桁のコード）と、帳票の種類を表す用紙コード（例えば４桁のコード）と、その帳票の出力ページ数（例えば５桁の数字）と、納品先コード（例えば５桁のコード）と、が入力される。
【００３１】
ここでは、各仕分先コード（例えば２４桁のコード）に対し、３種類の帳票が出力されるので、用紙コード、出力ページ数、及び納品先コードが３組存在する。また、仕分先は９個所である。
【００３２】
また、例えば他のコンピュータで経理伝票を処理後に印刷する場合等で、事前に判る伝票件数より、例えば伝票５０件が１ページと出力ページを事前に算出する工程を含むようにしてもよい。さらに、印刷ページ、或いは上記伝票の数値が変動する可能性がある場合は、予備の仕分指示棚を所定の条件出追加するようにしてもよい。
【００３３】
図４及び図５は、ＰＣにより自動作成された割付表と格納部の各仕分指示棚との対応を一例として示す図である。
【００３４】
図４及び図５において、格納部には仕分指示棚が５０あり、ホストコンピュータから入力された仕分作業量見合いで、顧客Ａの業務と顧客Ｂの業務とが同時に割り付けられている。
【００３５】
図４及び図５の上段には、割付表の一例を示し、下段には、割付表に対応した仕分指示棚を示している。
【００３６】
ＰＣ３には、図３で説明した、仕分先コード、用紙コード、納品先コードそれぞれと、対応する仕分先、帳票名、納品先とのテーブルが設定されているので、自動作成された割付表に対し、テーブルを適用することにより、仕分先、帳票名ごとの印刷物の数量、仕分指示棚１１の数、棚番号、納品先からなる割付表を画面表示させて確認することができる。
【００３７】
ここで、棚番号は、開始番号、使用範囲の棚を別に定められるようにすることにより相対的に割り当てるようにすることも可能である。
【００３８】
顧客Ａの業務は、図４の上段に示すように、仕分先は、「００１（東京）」「００５（川崎）」「０１０（横浜）」「０１５（札幌）」「０２０（仙台）」「０２５（名古屋）」「０３０（大阪）」「０３５（広島）」「０４０（福岡）」の９個所であり、帳票名は、「ＫＹＵＹＯ（給与）」「ＳＥＩＫＹＵ（請求書）」「ＮＹＵＫＯ（入庫表）」の３種類である。また、納品先は「００１（東京）」「００５（川崎）」「０１０（横浜）」は首都圏部、「０１５（札幌）」「０２０（仙台）」「０２５（名古屋）」「０３０（大阪）」は地方部、「０３５（広島）」「０４０（福岡）」は西統括部である。
【００３９】
印刷物の数量は、帳票名毎の出力ページ数と、仕分先毎の合計ページ数とが表示される。
【００４０】
各仕分指示棚１１には、３０００ページ分の印刷物を格納することができるので、ＰＣ３は、仕分先毎の合計ページ数から、顧客Ａには概ね１５の仕分指示棚１１が必要であることがわかり（合計ページ数を３０００で除する。）、５つの予備の仕分指示棚１１を含め、５段重ねの仕分指示棚１１を４列、合計２０の仕分指示棚（Ａ−１〜Ａ−２０）１１を確保する。
【００４１】
顧客Ｂの業務は、図５の上段に示すように、仕分先は、「１Ａ」「１Ｂ」「１Ｃ」「２Ａ」「２Ｂ」「３Ａ」「３Ｂ」「３Ｃ」「３D」の９個所であり、帳票名は、「ＫＹＵＹＯ（給与明細）」「ＳＥＩＫＹＵ（請求書）」「ＮＹＵＫＯ（入庫表）」の３種類である。また、納品先は「１Ａ」「１Ｂ」「１Ｃ」は関東部、「２Ａ」「２Ｂ」「３Ａ」「３Ｂ」は地方部、「３Ｃ」「３D」は西統括部である。
【００４２】
印刷物の数量は、帳票名毎の出力ページ数と、仕分先毎の合計ページ数とが表示される。
【００４３】
各仕分指示棚１１には、３０００ページ分の印刷物を格納することができるので、ＰＣ３は、仕分先毎の合計ページ数から、顧客Ｂには概ね１８の仕分指示棚１１が必要であることがわかり、２つの予備の仕分指示棚１１を含め、５段重ねの仕分指示棚１１を４列、合計２０の仕分指示棚（Ｂ−１〜Ｂ−２０）１１を確保する。
【００４４】
次に、具体的棚番号を割りつける、割付ルールの一例について説明する。
【００４５】
仕分先毎の合計ページ数が３０００ページ以下の場合は、その仕分先に対し、１つの仕分指示棚１１を割り付ける。
【００４６】
仕分先毎の合計ページ数が３０００ページを超える場合は、複数の仕分指示棚１１を割りつける。そして、出力ページ数が２０００ページ以上、３０００ページ以下の帳票名は、その仕分先に対し、１つの仕分指示棚１１を割り付け、出力ページ数が２０００ページ未満の帳票名は、複数の帳票名を組み合わせたときの合計出力ページ数が２０００ページ以下であれば、その組み合わせを許容する。
【００４７】
ここで、２０００ページ、３０００ページの区分は一例であって、顧客毎に、あるいは出力されるページ数の分布状態に応じて変更することも出来るし、ルールを変更することも可能である。
【００４８】
図６は、割付ルールの適用例を示す図である。
【００４９】
図６に示すように、帳票名「ＫＹＵＹＯ（給与明細）」の出力ページ数が５０００ページ、「ＳＥＩＫＹＵ（請求書）」の出力ページ数が２０００ページ、「ＮＹＵＫＯ（入庫表）」の出力ページ数が１５００ページであるときは、５０００ページを３０００ページと２０００ページとに区分して仕分指示棚１１に格納される。２０００ページが格納された仕分指示棚１１には、１０００ページの余裕がある。しかし、「ＳＥＩＫＹＵ（請求書）」の２０００ページは１０００ページ毎に区分して、一部をその余裕がある仕分指示棚１１に収容することはしないで、別の仕分指示棚１１に収容する。
【００５０】
このような割り付けを行うことにより、ＢＣスキャナで仕分先コードを読み取り、表示ランプ１３を点灯させた仕分指示棚１１に、確実に印刷物を格納することができる。
【００５１】
再び、図４及び図５に戻って、割付表の具体例について説明する。
【００５２】
図４に示す割付表においては、仕分先「００１（川崎）」の、帳票名「ＮＹＵＫＯ（入庫表）」は、出力ページ数が２０００ページであるから１つの仕分指示棚１１となり、「ＫＹＵＹＯ（給与明細）」「ＳＥＩＫＹＵ（請求書）」は、出力ページ数がそれぞれ１０００ページであり、合計出力ページ数が２０００ページであるから、組み合わせて１つの仕分指示棚１１となる。したがって、仕分指示棚１１の使用数は２となり、「ＫＹＵＹＯ（給与明細）」「ＳＥＩＫＹＵ（請求書）」には、棚番号Ａ−４が割りつけられ、「ＮＹＵＫＯ（入庫表）」には棚番号Ａ−５が割りつけられる。
【００５３】
また、仕分先「０２０（仙台）」の、帳票名「ＫＹＵＹＯ（給与明細）」は、出力ページ数が５０００ページであるから２つの仕分指示棚となり、「ＳＥＩＫＹＵ（請求書）」は、出力ページ数が２０００ページであるから１つの仕分指示棚１１となり、「ＮＹＵＫＯ（入庫表）」は出力ページ数が１５００ページであるが、組み合わせる相手がないので、１つの仕分指示棚１１となる。したがって、仕分指示棚１１の使用数は４となり、「ＫＹＵＹＯ（給与明細）」には、棚番号Ａ−８、棚番号Ａ−９が割りつけられ、「ＳＥＩＫＹＵ（請求書）」には棚番号Ａ−１０が割りつけられ、「ＮＹＵＫＯ（入庫表）」には棚番号Ａ−１１が割りつけられる。
【００５４】
さらに、仕分先「０３５（広島）」の、帳票名「ＫＹＵＹＯ（給与明細）」は、出力ページ数が２５００ページであるから１つの仕分指示棚となり、棚番号Ａ−１４が割りつけられる。「ＳＥＩＫＹＵ（請求書）」は、出力ページ数が１５００ページであるが、「ＮＹＵＫＯ（入庫表）」は、出力ページ数が１０００ページであり、合計出力ページ数が２５００ページとなるので、組み合わせができない。したがって「ＳＥＩＫＹＵ（請求書）」に棚番号Ａ−１５が割りつけられ、「ＮＹＵＫＯ（入庫表）」に棚番号Ａ−１６が割りつけられる。
【００５５】
また、図５の割付表においては、仕分先「１Ｃ」の、帳票名「ＫＹＵＹＯ（給与明細）」は、出力ページ数が２０００ページであるから１つの仕分指示棚となり、「ＳＥＩＫＹＵ（請求書）」「ＮＹＵＫＯ（入庫表）」は、出力ページ数がそれぞれ８００ページ、１０００ページで、合計出力ページ数が１８００ページであるから、組み合わせて１つの仕分指示棚となる。したがって、仕分指示棚１１の使用数は２となり、「ＫＹＵＹＯ（給与明細）」には、棚番号Ｂ−３が割りつけられ、「ＳＥＩＫＹＵ（請求書）」「ＮＹＵＫＯ（入庫表）」には棚番号Ｂ−４が割りつけられる。
【００５６】
また、仕分先「２Ａ」の、帳票名「ＳＥＩＫＹＵ（請求書）」「ＮＹＵＫＯ（入庫表）」は、出力ページ数がそれぞれ２０００ページ以上、３０００ページ以下であるから、それぞれが１つの仕分指示棚１１となり、棚番号Ｂ−５、棚番号Ｂ−６が割りつけられ、「ＫＹＵＹＯ（給与明細）」は、出力ページ数が１０００ページであるから１つの仕分指示棚１１となり、棚番号Ｂ−４が割りつけられる。
【００５７】
さらに、仕分先「２Ｂ」の、帳票名「ＫＹＵＹＯ（給与明細）」は、出力ページ数が５０００ページであるから２つの仕分指示棚１１となり、「ＳＥＩＫＹＵ（請求書）」は、出力ページ数が２０００ページであるから１つの仕分指示棚１１となり、「ＮＹＵＫＯ（入庫表）」は出力ページ数が１５００ページであるが、組み合わせる相手がないので、１つの仕分指示棚となる。したがって、仕分指示棚１１の使用数は４となり、「ＫＹＵＹＯ（給与明細）」には、棚番号Ｂ−７、棚番号Ｂ−８が割りつけられ、「ＳＥＩＫＹＵ（請求書）」には棚番号Ｂ−９が割りつけられ、「ＮＹＵＫＯ（入庫表）」には棚番号Ｂ−１０が割りつけられる。
【００５８】
また、仕分先「３Ｂ」の、帳票名「ＮＹＵＫＯ（入庫表）」は、出力ページ数が２０００ページであるから１つの仕分指示棚１１となり、棚番号Ｂ−１３が割りつけられる。「ＫＹＵＹＯ（給与明細）」「ＳＥＩＫＹＵ（請求書）」は、出力ページ数がそれぞれ８００ページ、７００ページで、合計出力ページ数が１５００ページとなるので、組み合わせて棚番号Ｂ−１２が割りつけられる。
【００５９】
さらに、仕分先「３Ｃ」の、帳票名「ＫＹＵＹＯ（給与明細）」は、出力ページ数が２５００ページであるから１つの仕分指示棚１１となり、棚番号Ｂ−１４が割りつけられる。「ＳＥＩＫＹＵ（請求書）」「ＮＹＵＫＯ（入庫表）」は、出力ページ数がそれぞれ１５００ページ、１０００ページで、合計出力ページ数が２０００ページを超え、組み合わせができないので、それぞれに棚番号Ｂ−１５、棚番号Ｂ−１６が割りつけられる。
【００６０】
また、仕分先「３Ｄ」の、帳票名「ＫＹＵＹＯ（給与明細）」は、出力ページ数が３０００ページであるから１つの仕分指示棚１１となり、棚番号Ｂ−１７が割りつけられる。「ＮＹＵＫＯ（入庫表）」は、出力ページ数がそれぞれ４０００ページであるから、２つの仕分指示棚が割りつけられ、結局、「ＳＥＩＫＹＵ（請求書）」には棚番号Ｂ−１８割りつけられ、「ＮＹＵＫＯ（入庫表）」には棚番号Ｂ−１９、棚番号Ｂ−２０が割りつけられる。
【００６１】
図７は、ＰＣの画面構成の一例を示す図である。
【００６２】
図７に示すように、ＰＣの画面構成は、仕分作業のメインメニューから、例えばプルダウン方式で必要な処理画面などの表示が可能なように構成されている。
【００６３】
メニューは、４種類の処理画面に区分され、１つは、ＰＣのキーボード等を用いて所定情報の入力やテーブル設定等を行う場合の入力メニュー、２つは、格納部の仕分指示棚の棚番号を設定するロケーション設定と、表示ランプ、センサ、警告ランプ、アラームの点検を行う表示器点検とからなるロケーションメニュー、３つは、仕分処理と棚出し処理とからなる仕分作業メニュー、４つは仕分作業の履歴を印刷する履歴印刷メニューである。
【００６４】
入力メニューは、顧客別担当者を設定する作業者情報入力、仕分先と納品先とを対応づけるテーブル設定入力、定期的に仕分作業が必要な顧客の属性情報を登録する顧客情報入力とがあり、顧客情報入力は、さらに定期的な仕分作業を登録する基準スケジュール登録、及び随時必要な仕分作業を登録する臨時スケジュール登録がある。
【００６５】
図８は、作業者情報入力画面の一例を示す図である。
【００６６】
図８に示すように、作業者情報入力画面には、キーボードから作業者コード、パスワード、作業者氏名を入力し、追加／更新、又は削除釦をクリックすると、ダイアログボックスに、作業者リストが表示される。
【００６７】
この作業者情報入力画面は、顧客別に登録され、仕分作業を行う際に、作業者コード等の識別情報が記録されたカード等をＢＣスキャナ等で読み取らせることにより、登録された作業者情報と照合される。
【００６８】
図９は、顧客情報入力画面の一例を示す図である。
【００６９】
図９に示すように、顧客情報入力画面には、キーボードから顧客コード、顧客名、を入力し、基準スケジュール設定釦、又は臨時スケジュール設定釦の何れかを選択し、配布先情報を登録するダイアログボックスに、分類コード、分類先（納品先に相当する。）、配布先（仕分先に相当する。）をそれぞれ入力する。
【００７０】
これにより仕分先と納品先との対応がきまり、テーブル設定がなされる。
【００７１】
図１０は、仕分作業画面の一例を示す図である。
【００７２】
図１０に示すように、仕分作業画面には、仕分作業を行う年月日、作業者情報、時間帯別仕分予定、仕分作業の実施状況が表示される。
【００７３】
なお、表示された配布先は、仕分先に相当し、分類先は納品先に相当する。
【００７４】
仕分作業の登録は、仕分作業を行う年月日を指定して仕分作業画面を表示させ、時間帯別仕分予定のダイアログボックスの空き時間帯に顧客名、基準スケジュールか臨時スケジュールかの別を登録する。
【００７５】
作業当日は、担当者は、作業者コード、作業者名を入力し、仕分予定一覧から担当する顧客名を選択する。作業者が登録されている場合には、仕分作業が表示される。
【００７６】
仕分作業のダイアログボックスには、作業の進行に合わせて、ＢＣスキャナで読み取られた各帳票の情報や作業の進捗状態等が表示される。
【００７７】
なお、この仕分作業画面には、作業履歴表示釦が設けられているので、クリックすると、表示された顧客の過去の作業履歴が表示される。
【００７８】
図１１は、作業履歴の印刷画面等の一例を示す図である。
【００７９】
図１１（ａ）に示すように、印刷ジョブが選択されると、仕分け作業履歴印刷画面が表示され、キーボードで日付を入力し、印刷釦をクリックすると、図１１（ｂ）に示すような、「仕分け作業履歴」がプリンタから出力される。これは次に記載する図１２、図１３の各処理段階において、仕分情報を処理時間情報、作業者情報等とともに履歴として、ハードデイスク等に保存しておくことを可能にしている。
【００８０】
図１２は、本実施形態の仕分装置を用いて仕分作業を行う場合のフローチャートである。
【００８１】
図１２において、仕分作業が開始されると、作業者は、まず自己の社員証に付された識別情報を、例えばＢＣスキャナにより読み取る（Ｓ１）。
【００８２】
仕分作業の内容が、指定された顧客である場合など、さらにパスワードの入力が必要な場合には（Ｓ２）、作業者は、ＰＣからパスワードを入力する（Ｓ３）。
【００８３】
作業者の識別情報、あるいはパスワードが一致すると仕分作業が開始される。
【００８４】
仕分作業を行う印刷物には、仕分先コード別、帳票種類別に、連続ページが付されおり、印刷システムから出力されたままの状態で仕分装置のある場所に運ばれてくる。
【００８５】
運ばれた印刷物は、帳票種類毎に、１ページが上になるように順番に積み重ねられ、帳票の先頭（例えば１ページ目、又は帳票種類毎に付された目次）に、帳票コード、仕分先コード、及び納品先コードを含む情報が記録されている。
【００８６】
作業者は、各帳票の先頭を、ＢＣスキャナで読み取る（Ｓ４）。
【００８７】
読み取られた帳票コード、仕分先コード、及び納品先コードを含む情報は、ＢＣＲからＢＣＲＩＦを介してＰＣに送信される。ＰＣは、受信した情報に割付表を適用し、その帳票を格納する仕分指示棚の表示ランプを点灯する。
【００８８】
作業者は、表示ランプが点灯した仕分指示棚にＢＣスキャナで読み取った帳票（１頁から最終頁まで）を格納する。
【００８９】
表示ランプが点灯した仕分指示棚に帳票が格納されるときに、仕分指示棚に設けられたセンサにより帳票の格納が検出されるので、検出信号が表示ユニットを介してＰＣに送信される。ＰＣは、表示ランプを点灯させた仕分指示棚から、検出信号を受信すると、点灯させた表示ランプを消灯させる。なお、このとき、表示ランプを点灯させていない仕分指示棚から検出信号が受信されると、ＰＣは、格納部に設けられた警告表示ランプを点灯させると共に、アラームを鳴動させる。
【００９０】
以下、運ばれた印刷物について、帳票種類毎に、同様の操作を繰り返す（Ｓ５〜Ｓ７）。
【００９１】
次に、運ばれた印刷物全てについて仕分作業が終了すると、仕分けられた印刷物を納品先毎にまとめ、梱包する棚出し作業が行われる。
【００９２】
図１３は、本実施形態の仕分装置を用いて棚出し作業を行う場合のフローチャートである。
【００９３】
図１３において、仕分作業が開始されると、作業者は、まず自己の社員証に付された識別情報を、例えばＢＣスキャナにより読み取る（Ｓ１１）。
【００９４】
棚出し作業の内容が、指定された顧客である場合など、さらにパスワードの入力が必要な場合には（Ｓ１２）、作業者は、ＰＣからパスワードを入力する（Ｓ１３）。
【００９５】
作業者の識別情報、あるいはパスワードが一致すると棚出し作業が開始される。
【００９６】
棚出し作業は、該当する仕分指示棚の表示ランプを一斉に点灯させて行う。
【００９７】
一斉点灯された仕分指示棚のうちの何れかから印刷物を取り出すと、センサが印刷物の通過を検出し、点灯されている表示ランプを消灯させる。
【００９８】
ここで、仕分時に利用し、ＰＣのハードデイスク等に保存されている、図４、図５の割付表を使って納品先が識別できるように表示ランプに数字又は文字を表示させることにすれば、同じ数字又は文字が表示されている仕分指示棚から印刷物を取り出し、梱包する作業を確実に行うことができる。また、各仕分指示棚に印刷物を格納する前にケース又は下敷きを入れておけば、印刷物を取り出す際の取り残しを防止することができる。
【００９９】
このようにして、点灯された表示ランプが全て消灯するまで棚出し作業を繰り返す（Ｓ１４〜Ｓ１５）。
【図面の簡単な説明】
【０１００】
【図１】本発明の仕分装置の実施形態を示す概略構成図である。
【図２】本実施形態の格納部を示す図である。
【図３】ＰＣに入力される、印刷物の仕分情報の一例を示す図である。
【図４】ＰＣにより自動作成された割付表と格納部の各仕分指示棚との対応を一例として示す図である。
【図５】ＰＣにより自動作成された割付表と格納部の各仕分指示棚との対応を一例として示す図である。
【図６】割付ルールの適用例を示す図である。
【図７】ＰＣの画面構成の一例を示す図である。
【図８】作業者情報入力画面の一例を示す図である。
【図９】顧客情報入力画面の一例を示す図である。
【図１０】仕分作業画面の一例を示す図である。
【図１１】作業履歴の印刷画面等の一例を示す図である。
【図１２】本実施形態の仕分装置を用いて仕分作業を行う場合のフローチャートである。
【図１３】本実施形態の仕分装置を用いて棚出し作業を行う場合のフローチャートである。
【符号の説明】
【０１０１】
１  格納部
２  ＢＣＲＩＦ
３  ＰＣ
４  ＢＣスキャナ
５  ＬＡＮ
６  プリンタ
１０  仕分指示棚セット
１１  仕分指示棚
１２  表示器
１３  表示ランプ
１４  センサーユニット
１５  警告ランプ
１６  アラーム          
【図１】
2006069767.tif 000003
【図２】
2006069767.tif 000004
【図３】
2006069767.tif 000005
【図４】
2006069767.tif 000006
【図５】
2006069767.tif 000007
【図６】
2006069767.tif 000008
【図７】
2006069767.tif 000009
【図８】
2006069767.tif 000010
【図９】
2006069767.tif 000011
【図１０】
2006069767.tif 000012
【図１１】
2006069767.tif 000013
【図１２】
2006069767.tif 000014
【図１３】
2006069767.tif 000015